(57)【要約】  大型化することなく、清掃作業を要せずに簡単に足を含む身体の箇所を洗うことができる乗り物用化粧室ユニットを提供すること。  乗り物用化粧室ユニット１０で足を洗う場合、便座２６を使用位置とし、蓋２８を開放位置とし、係脱機構３８による蓋２８と水切り板３２との結合状態を解除し、蓋２８を開放位置に留めて水切り板３２を載置位置に揺動させる。また、水栓３４を水栓用係止具４２に保持させる。ここで足を水切り板３２の上に乗せると、水制御部４４により水栓３４から水が所定の時間吐出され、水切り板３２上で足を洗うことができ、水は排出口から便器本体２４の内側に排出される。足を洗ったならば、水切り板３２の上面の水を拭き取り、水切り板３２を載置位置から蓋２８の開放位置に揺動し、あるいは、蓋２８を閉塞位置に揺動させる。
2019044742.tif 000002
【特許請求の範囲】
【請求項１】
便器本体と、前記便器本体の上に載置される使用位置と、前記便器本体の後端から起立する非使用位置との間で揺動可能に設けられた便座と、前記使用位置に位置した便座の上に載置され便座を覆う遮蔽位置と、前記便器本体の後端から起立し前記便座を開放する開放位置との間で揺動可能に設けられた蓋とを有する便器を化粧室内に備える乗り物用化粧室ユニットであって、
前記蓋の内面に収納された状態で前記蓋と共に前記遮蔽位置と前記開放位置との間で揺動可能で、かつ、前記蓋の開放位置で前記蓋と切り離されて前記使用位置に位置した前記便座の上に載置される載置位置となる水切り板と、
前記化粧室内に移動可能に設けられた水栓と、
前記水栓からの水の吐出と吐出停止を行なう水制御部と、
前記水栓を保持し前記蓋の開放位置で前記水栓から吐出される水を前記便器本体の内側に向ける水栓保持部とを備え、
前記水切り板は、前記使用位置に位置した前記便座の上に載置され前記便座を覆う載置部と、足を載せることが可能で前記水栓から吐出される水を前記便器本体の内側に導く排水部とを有している、
ことを特徴とする乗り物用化粧室ユニット。
【請求項２】
前記蓋と前記水切り板とを係脱可能に結合する係脱機構を更に備える、
ことを特徴とする請求項１記載の乗り物用化粧室ユニット。
【請求項３】
前記蓋は、前記遮蔽位置で前記便器本体に対向する内面を有し、
前記水栓保持部は、前記蓋と、前記蓋の内面に設けられ前記水栓を係脱可能に保持する水栓係止具とを含んで構成されている、
ことを特徴とする請求項１または２記載の乗り物用化粧室ユニット。
【請求項４】
前記水栓係止具は、前記蓋の内面に重ねられた収納位置と、前記蓋の内面から起立する使用位置との間で揺動可能に設けられている、
ことを特徴とする請求項３記載の乗り物用化粧室ユニット。
【請求項５】
前記載置部は、前記便座の上に載置され前記便座を覆う載置部本体と、前記載置部本体の周囲全周から起立する起立壁とを含んで構成されている、
ことを特徴とする請求項１〜４の何れか１項記載の乗り物用化粧室ユニット。
【請求項６】
前記排水部は、前記載置部の内側に離れるにつれて低くなる傾斜面と、前記載置部の内側中央に対応する傾斜面の箇所に形成された排水口とを有している、
ことを特徴とする請求項１〜５の何れか１項記載の乗り物用化粧室ユニット。
【請求項７】
前記排水部は、前記載置部の内側に張られた網状の部材で形成されている、
ことを特徴とする請求項１〜５の何れか１項記載の乗り物用化粧室ユニット。
【請求項８】
水平方向に延在し前記便器にむかって腰掛けることが可能な使用位置と、前記化粧室の壁部に重ね合わされる収納位置との間で揺動可能な腰掛け板をさらに備える、
ことを特徴とする請求項１〜７の何れか１項記載の乗り物用化粧室ユニット。
【請求項９】
前記腰掛け板は、細長を呈しその長手方向の一端が前記化粧室の壁部に結合され前記一端を支点として前記使用位置と前記収納位置との間で揺動可能で、前記使用位置で上方を向いた表面とその反対に位置する裏面とを有する腰掛け板本体と、前記腰掛け板本体の裏面で前記腰掛け板本体の長手方向の他端に揺動可能に設けられ、前記収納位置で前記腰掛け板本体の裏面に収納されると共に前記腰掛け板本体の使用位置で前記長手方向の他端から下方に延在して前記化粧室の床に当接し前記腰掛け板本体の前記使用位置を保持する脚部とを含んで構成されている、
ことを特徴とする請求項８記載の乗り物用化粧室ユニット。
【請求項１０】
前記水栓は、水が供給される可撓可能なホースの先端に取着され、
前記便器本体の近傍の前記化粧室の壁部に、引き出し可能にホースを収納し水栓を係脱可能に保持する水栓用収納具が設けられている、
ことを特徴とする請求項１〜９の何れか１項記載の乗り物用化粧室ユニット。
【発明の詳細な説明】
【技術分野】
【０００１】
本発明は、乗り物用化粧室ユニットに関する。
【背景技術】
【０００２】
航空機や船、車両、鉄道などの乗り物用化粧室ユニットは、便器に加え化粧室内に手洗い器を備えている（特許文献１）。
一方、イスラム教の儀式として、礼拝の前に手、口、鼻、顔、腕、髪の毛、耳、足を洗い、体の一部を洗う清めの行為（ウドゥ）が行なわれる。
この行為を乗り物用化粧室ユニットで行なう場合、手、口、鼻、顔、腕、髪の毛、耳は手洗い器を利用して行なえるものの、手洗い器は、通常、腰の高さに位置しているため、足を洗うのは不便となる。
【先行技術文献】
【特許文献】
【０００３】
【特許文献１】ＷＯ  ２０１４／１４１６９３
【発明の概要】
【発明が解決しようとする課題】
【０００４】
そのため、足を手洗い器上で洗う場合には、無理な姿勢となって足を簡単に洗うことができず、また、手洗い器の周りに水が飛んで床面が濡れ、その清掃作業が面倒になる不具合が生じる。
また、ウドゥ専用の洗い場を化粧室ユニットに設けることも考えられるが、ウドゥ専用の洗い場を化粧室ユニットに設けたのでは、化粧室ユニットが大幅に拡大する不具合が生じる。
本発明は前記事情に鑑み案出されたものであって、本発明の目的は、化粧室ユニットを大型化することなく、清掃作業を要せずに簡単に足を含む身体の箇所を洗うことができる乗り物用化粧室ユニットを提供することにある。
【課題を解決するための手段】
【０００５】
上記目的を達成するために本発明は、便器本体と、前記便器本体の上に載置される使用位置と、前記便器本体の後端から起立する非使用位置との間で揺動可能に設けられた便座と、前記使用位置に位置した便座の上に載置され便座を覆う遮蔽位置と、前記便器本体の後端から起立し前記便座を開放する開放位置との間で揺動可能に設けられた蓋とを有する便器を化粧室内に備える乗り物用化粧室ユニットであって、前記蓋の内面に収納された状態で前記蓋と共に前記遮蔽位置と前記開放位置との間で揺動可能で、かつ、前記蓋の開放位置で前記蓋と切り離されて前記使用位置に位置した前記便座の上に載置される載置位置となる水切り板と、前記化粧室内に移動可能に設けられた水栓と、前記水栓からの水の吐出と吐出停止を行なう水制御部と、前記水栓を保持し前記蓋の開放位置で前記水栓から吐出される水を前記便器本体の内側に向ける水栓保持部とを備え、前記水切り板は、前記使用位置に位置した前記便座の上に載置され前記便座を覆う載置部と、足を載せることが可能で前記水栓から吐出される水を前記便器本体の内側に導く排水部とを有していることを特徴とする。
【発明の効果】
【０００６】
本発明によれば、例えば足を洗う場合、便座は載置部で覆われ、洗うべき足は膝の高さに位置し、しかも水切り板の排水部の上に載せることができるので、便座や便器本体を濡らさずに、また、化粧室ユニットの床を濡らさずに足を簡単に洗うことができる。
なお、手、口、鼻、顔、腕、髪の毛、耳は手洗い器で洗ってもよいが、同様に、手、口、鼻、顔、腕、髪の毛、耳も水切り板の上で、便座や便器本体を濡らさずに、また、化粧室ユニットの床を濡らさずに簡単に洗うことができる。
したがって、化粧室ユニットで足や、手、口、鼻、顔、腕、髪の毛、耳を洗った場合であっても、床が濡れないため、他の便器利用者は何ら支障なく化粧室を使用することができる。
したがって、ウドゥ専用の洗い場を設ける必要がなくなるため、化粧室ユニットを大型化することなく、清掃作業を要せずに簡単に足を含む身体の箇所を洗うことができる化粧室ユニットが得られる。
【図面の簡単な説明】
【０００７】
【図１】第１の実施の形態の化粧室ユニットの斜視図である。
【図２】第１の実施の形態において蓋が遮蔽位置に位置した状態を示す便器の側面図である。
【図３】第１の実施の形態において蓋が開放位置に位置し便座が使用位置に位置した状態を示す便器の側面図である。
【図４】第１の実施の形態において便座が非使用位置に位置した状態を示す便器の側面図である。
【図５】第１の実施の形態において水切り板が載置位置に位置し水栓用係止具が収納位置に位置した状態を示す便器の側面図である。
【図６】第１の実施の形態において水切り板が載置位置に位置し水栓用係止具が使用位置に位置した状態を示す便器の側面図である。
【図７】第１の実施の形態において水切り板が載置位置に位置し水栓から水が吐出されている状態を示す便器の側面図である。
【図８】水切り板の斜視図である。
【図９】係脱機構の構成を示す断面図である。
【図１０】第１の実施の形態において蓋が遮蔽位置に位置した状態を示す便器の断面正面図である。
【図１１】第１の実施の形態において水切り板が載置位置に位置した状態を示す便器の断面正面図である。
【図１２】（Ａ）は水栓用係止具の平面図、（Ｂ）は水栓用係止具の側面図である。
【図１３】（Ａ）は水栓用係止具が収納位置に位置した状態を示す断面側面図、（Ｂ）は水栓用係止具が使用位置に位置した状態を示す蓋の断面側面図である。
【図１４】水切り板の変形例を示す斜視図である。
【図１５】水切り板の変形例において蓋が遮蔽位置に位置した状態を示す便器の断面正面図である。
【図１６】水切り板の変形例において水切り板が載置位置に位置した状態を示す便器の断面正面図である。
【図１７】水制御部の構成を示すブロック図である。
【図１８】第２の実施の形態において腰掛け板が収納位置に位置した状態を示す化粧室の側面図である。
【図１９】第２の実施の形態において腰掛け板が使用位置に位置した状態を示す化粧室の側面図である。
【図２０】第２の実施の形態において腰掛け板が使用位置に位置した状態を示す化粧室の正面図である。
【発明を実施するための形態】
【０００８】
（第１の実施の形態）
次に本発明の実施形態について、乗り物用化粧室ユニットが航空機用化粧室ユニットである場合について図面を参照して説明する。
図１に示すように、化粧室ユニット１０は、航空機のフロア上に設置された躯体フレーム１２を有し、躯体フレーム１２の内部に化粧室１００２が形成されている。
躯体フレーム１２は、正面壁１２０２と、正面壁１２０２に対向する背面壁１２０４と、左右の側壁１２０６、１２０８と、天井（天井壁）１２１０と、床（底壁）１２１２とを有している。
正面壁１２０２には出入口１２１４が設けられ、各出入口１２１４は扉１４により開閉される。
本実施の形態では、化粧室ユニット１０は、機体の前後方向に延在する縦通路の側方に配置され、正面壁１２０２は縦通路に面している関係上、背面壁１２０４は機体の胴部に近づけて配置され、背面壁１２０４は、機体の胴体形状に合わせ上部に至るにつれて正面壁１２０２方向に変位する湾曲面で形成されている。
化粧室１００２には、洗面台１６、カウンター１８が一方の側壁１２０６に付けて配置されている。
洗面台１６は、側壁１２０６の内側で化粧室１００２の底壁１２１２に設置された基台２０の上面に設けられている。
洗面台１６は、手洗い器１６０２、手洗い用水栓１６０４、鏡１６０６を含んで構成されている。
基台２０の内部には不図示のごみ箱装置が設けられ、図中符号２００２は、ごみ投入口を示している。
【０００９】
便器２２は背面壁１２０４の前方（背面壁１２０４が正面壁１２０２に対向する方向）で背面壁１２０４に寄せて設けられている。
図１、図２に示すように、便器２２は、便器本体２４と、便座２６と、蓋２８とを含んで構成されている。
便器本体２４は、床１２１２（底壁）に設置されている。
便座２６は、図３に示すように、便器本体２４の上に、便器本体２４の上部に載置される使用位置と、図４に示すように、便器本体２４の後端（背面壁１２０４側の端部）から起立する非使用位置との間で揺動可能に設けられている。
なお、使用位置となった便座２６の上に座ると、座った人は正面壁１２０２に対面し、便器２２の前方とは正面壁１２０２方向であり、便器２２の後方とは背面壁１２０４方向である。
【００１０】
蓋２８は、図２に示すように、使用位置となった便座２６を覆う遮蔽位置と、図３に示すように、便器本体２４の後端から起立し便座２６を開放する開放位置との間で揺動可能である。
蓋２８は、図１０に示すように、遮蔽位置で便器本体２４に対向する内面２８０２と、後縁を除いた内面２８０２の周囲から起立する側壁２８０４とを有している。
本実施の形態では、便座２６の揺動中心となる支軸３０と、蓋２８の揺動中心となる支軸３０は共通である。
【００１１】
さらに、化粧室１００２を汚さずに化粧室１００２内で足を含む身体の箇所を楽に洗うことができるように、図２〜図７に示すように、化粧室１００２に水切り板３２、水栓３４、水栓保持部３６、係脱機構３８（図９）、水栓用収納具４０、水栓用係止具４２、水制御部４４（図１７）が設けられている。
水切り板３２は合成樹脂製で、図２、図３、図１０に示すように、側壁２８０４の内側で蓋２８の内面２８０２に収納された状態で、支軸３０を中心に蓋２８と共に遮蔽位置と開放位置との間で揺動可能で、かつ、図５〜図７に示すように、蓋２８の開放位置で蓋２８と切り離されて使用位置に位置した便座２６の上に載置される載置位置となる。
【００１２】
図９に示すように、係脱機構３８は、蓋２８と水切り板３２とを係脱可能に結合し、蓋２８と水切り板３２とを結合した状態で水切り板３２が蓋２８の内面２８０２に収納された状態を保持し、蓋２８と水切り板３２との結合を解除した状態で蓋２８と切り離して水切り板３２の揺動を可能とするものである。
本実施の形態では、係脱機構３８は、図８、図９に示すように、水切り板３２の前部に常時突出された方向に付勢された剛球３８０２と、蓋２８の側壁２８０４に設けられ剛球３８０２に係脱可能に結合する凹部３８０４とで構成されている。
剛球３８０２が蓋２８の側壁２８０４の凹部３８０４に係合することで、水切り板３２の蓋２８の内面２８０２への収納状態が形成され、水切り板３２の収納状態では、水切り板３２は、蓋２８と共に揺動する。
また、蓋２８から水切り板３２を引き出すことで、剛球３８０２が凹部３８０４から外れ、水切り板３２は蓋２８と切り離されて単独で揺動可能となり、図５に示すように、使用位置となった便座２６の上に載置される載置位置と、図３に示すように、開放位置となった蓋２８の内面２８０２に収納される開放位置との間で揺動可能である。
なお、載置位置から水切り板３２を起立させると、剛球３８０２が蓋２８の側壁２８０４の内面により押し付けられて沈み込み、凹部３８０４が剛球３８０２上に位置すると、剛球３８０２は突出して凹部３８０４に係合し、水切り板３２の蓋２８の内面２８０２への収納状態が形成される。
このような係脱機構３８の構成は、実施の形態の構造に限定されず、従来公知の様々な構造が採用可能である。
【００１３】
図８、図１０、図１１に示すように、水切り板３２は、使用位置に位置した便座２６の上に載置され便座２６を覆う載置部４６と、載置部４６が便座２６の上に載置された状態で、足を載せることが可能で水栓３４から吐出される水を便器本体２４の内側に導く排水部４８を有している。
載置部４６と排水部４８とは一体成形され、排水部４８の外周部は載置部４６で保持されている。
載置部４６は、便座２６の上に載置され便座２６を覆う載置部本体４６０２と、載置部本体４６０２の周囲全周から起立する起立壁４６０４とを含んで構成されている。
排水部４８は、載置部４６が便座２６の上に載置された状態で載置部４６の内側に離れるにつれて低くなる傾斜面４８０２と、載置部４６の内側中央に対応する傾斜面４８０２の箇所に形成された排水口４８０４とを有している。
なお、図１４〜図１６に示すように、排水部４８を、載置部４６の内側に張られ載置部４６が便座２６の上に載置された状態で足を載せることが可能で、水栓３４から吐出される水を便器本体２４の内側に導く網状の部材４９で構成するようにしてもよく、水切り板３２の構成は実施の形態の構造に限定されず、様々な構造が採用可能であるが、図８、図１４に示すような構成とすると水切り板３２の構造の簡単化を図る上で有利となる。
【００１４】
水栓３４は、化粧室１００２内で移動可能に設けられている。
本実施の形態では、図７に示すように、水栓３４は、水が供給される可撓可能なホース５０の端部に設けられ、開閉弁５２（図１７）が内蔵されている。
図１、図７に示すように、水栓用収納具４０は、便器２２の側方で背面壁１２０４の下部に設けられ、繰り出し可能にホース５０を収納し、ホース５０が収納された状態で水栓３４を係脱可能に保持する。
なお、水栓３４として手洗い用水栓１６０４を使用することも可能である。この場合には、手洗い用水栓１６０４にホース５０を連結しておき、手洗い用水栓１６０４で足を含む身体の箇所を洗う場合に、手洗い用水栓１６０４を洗面台１６から引き出せるようにしておけばよい。
【００１５】
図７に示すように、水栓保持部３６は、水栓３４を係脱可能に保持し蓋２８の開放位置で水栓３４から吐出される水を便器本体２４の内側に向けるものである。
本実施の形態では、水栓保持部３６は、蓋２８と、蓋２８の内面２８０２に設けられ水栓３４を係脱可能に保持する水栓用係止具４２とを含んで構成されている。
水栓用係止具４２は、蓋２８の内面２８０２で支軸３０と反対の箇所である蓋２８の先部に設けられている。
水栓用係止具４２は、図５、図１３（Ａ）に示すように蓋２８の内面２８０２に重ねられた収納位置と、図６、図７、図１３（Ｂ）に示すように蓋２８の内面２８０２から起立した使用位置との間で揺動可能に設けられている。
詳細に説明すると、図１２（Ａ）、（Ｂ）に示すように、水栓用係止具４２は二股状の係止部４２０２を有する係止具本体４２０４を有し、図１３（Ａ）、（Ｂ）に示すように、係止具本体４２０４の基部の軸受孔４２０５は、蓋２８の内面２８０２でヒンジ４３の支軸４３０２を介して揺動可能に結合され、ヒンジ４３に組み込まれた不図示のスプリングにより突出する方向に付勢された不図示の剛球が、基部の凹部４２０６（図１２（Ｂ））に係合することで、水栓用係止具４２の収納位置と使用位置とが位置決めされ、水栓用係止具４２は、収納位置と使用位置との間で揺動可能に設けられている。
図７に示すように、水栓用係止具４２は、使用位置で水栓３４を係脱可能に保持し、水栓３４からの水を、便器本体２４の内側に向けて吐出させる。
なお、水栓用係止具４２は、蓋２８の内面２８０２に水切り板３２が収納された状態で、水切り板３２の載置部４６の内側で排水部４８に対向する箇所に位置している。
【００１６】
水制御部４４は、水栓３４からの水の吐出と吐出停止を行なうものである。
水制御部４４は、例えば、図１７に示すように、水栓３４に設けられ水切り板３２の上に足の有無を検出する赤外線センサ５４と、水栓３４内蔵の開閉弁５２を開閉させるアクチュエータ５６と、赤外線センサ５４の検出信号に基づいてアクチュエータ５６を制御して開閉弁５２を所定時間開とする制御部５８とを含んで構成してもよい。
あるいは、化粧室１００２の壁面に設けられたスイッチと、スイッチの操作信号に基づいてアクチュエータ５６を制御して開閉弁５２を所定時間開とする制御部５８を含んで構成してもよい。
あるいは、水栓３４に設けられた押ボタンスイッチと、押ボタンスイッチの操作信号に基づいてアクチュエータ５６を制御して開閉弁５２を所定時間開とする制御部５８を含んで構成してもよく、従来公知の様々な構成が採用可能である。
なお、手洗い用水栓１６０４を、足を含む身体を洗う水栓として使用する場合には、手洗い用水栓１６０４に設けられたつまみの操作で水の吐出と吐出停止を行ない、水制御部４４はこのつまみを含んで構成されることになる。
【００１７】
次に、乗り物用化粧室ユニット１０で足を洗う場合を例にとって説明する。
図５、図１１に示すように、便座２６を使用位置とし、蓋２８を開放位置とし、係脱機構３８による蓋２８と水切り板３２との結合状態を解除し、蓋２８を開放位置に留めて水切り板３２を載置位置に揺動させる。
次いで、水栓用係止具４２を、図５、図１３（Ａ）に示す収納位置から、図６、図１３（Ｂ）に示すように使用位置に揺動させる。
次いで、図７に示すように、水栓３４を水栓用係止具４２に保持させる。
ここで足を水切り板３２の上に乗せると、水制御部４４により水栓３４から水が所定の時間吐出され、水切り板３２上で足を洗うことができ、水は排水口４８０４から便器本体２４の内側に排出される。
足を洗ったならば、載置部本体４６０２および水切り板３２の上面の水を拭き取り、図３に示すように水切り板３２を載置位置から蓋２８の開放位置に揺動し、あるいは、図２に示すように蓋２８を閉塞位置に揺動させる。
それらの揺動により係脱機構３８を介して水切り板３２と蓋２８とが結合する。
したがって、以後、足を洗わない便器利用者は、蓋２８の開閉により水切り板３２は蓋２８と共に揺動するので、水切り板３２が便座２６上に出現して邪魔になることがなく、通常の化粧室ユニット１０と同様な使用が可能となる。
【００１８】
したがって、本実施の形態によれば、足を洗う場合、便座２６は載置部本体４６０２で覆われ、載置部本体４６０２の周囲全周から起立壁４６０４が起立しており、また、洗うべき足は膝の高さに位置し、しかも水切り板３２の排水部４８の上に載せることができるので、便座２６や便器本体２４を濡らさずに、また、化粧室ユニット１０の床１２１２を濡らさずに足を簡単に洗うことができる。
なお、手、口、鼻、顔、腕、髪の毛、耳は手洗い器１６０２で洗ってもよいが、同様に、手、口、鼻、顔、腕、髪の毛、耳も水切り板３２の上で、便座２６や便器本体２４を濡らさずに、また、化粧室ユニット１０の床１２１２を濡らさずに簡単に洗うことができる。
したがって、便器２２を利用して足を含む身体の箇所を簡単に洗うことができ、また、化粧室ユニット１０で足を含む身体の箇所を洗った場合であっても、床１２１２が濡れないため、清掃作業を要せずに他の便器利用者は何ら支障なく化粧室１００２を使用することができる。
また、ウドゥ専用の洗い場を設ける必要がなくなるため、大型化することなく、足を含む身体の箇所を洗うことができる化粧室ユニット１０が得られる。
【００１９】
また、水切り板３２は蓋２８の内面２８０２に収納されるため、水切り板３２の使用時の操作を簡単に行なう上で有利となり、また、座席を増やす観点から狭くなりがちな化粧室ユニット１０の空間を狭めることなく水切り板３２を配置する上で有利となる。
また、水栓３４の使用時、蓋２８の内面２８０２に水栓用係止具４２を設け、蓋２８を利用して水栓３４を保持するようにしたので、何ら場所を取ることなく水栓３４を保持できる。例えば、化粧室１００２の壁面に重ね合わされる収納状態と、便器２２の上方に位置する使用位置との間で水平面内で旋回可能なあるいは鉛直面内で揺動可能なハンガーを設け、このハンガーの先部で水栓３４を保持するようにしてもよい。しかしながら、実施の形態のように、便器２２の蓋２８を利用して水栓３４を保持すると、水栓３４を保持するための部材を何ら設けることなく水栓３４を保持でき、したがって、化粧室１００２内のスペースを狭めることなく水栓３４を使用位置で保持する上で有利となる。
また、水栓３４は背面壁１２０４の下部から引き出し可能に設けられ、水栓３４の不使用時、水栓３４は背面壁１２０４の下部に位置しているため邪魔にならず、便器利用者が、化粧室１００２を何ら支障なく使用する上で有利となる。
また、本実施の形態では、係脱機構３８を設けたので、足を含む身体の箇所を洗わない他の便器利用者は、蓋２８の開閉操作により通常の便器２２と同様な使い勝手となり、水切り板３２が便座２６上に出現することがないので、化粧室１００２を何ら支障なく使用する上で有利となる。
【００２０】
（第２の実施の形態）
次に第２の実施の形態について図１８〜図２０を参照して説明する。
第２の実施の形態は、特に足洗いがより簡単になされるようにしたものであり、第１の実施の形態に、腰掛け板６０を加えたものである。
すなわち、腰掛け板６０は、図１９、図２０に示すように、便器２２の前方で水平方向に延在し便器２２に向かって腰掛けることが可能な使用位置と、図１８に示すように、化粧室１００２の壁部に重ね合わされる収納位置との間で揺動可能に設けられている。
より詳細に説明すると、腰掛け板６０は、腰掛け板本体６２と脚部６４とを含んで構成されている。
腰掛け板本体６２は、細長を呈しその長手方向の一端が手洗い器１６０２と反対側の壁部である側壁１２０８にヒンジ６３を介して揺動可能に結合され、水平方向に延在した状態で上方を向いた表面６２０２とその反対に位置する裏面６２０４とを有している。
脚部６４は、腰掛け板本体６２の裏面６２０４で長手方向の他端に支軸６２０６を介して揺動可能に設けられている。
図１８に示すように、腰掛け板６０の不使用時、脚部６４は腰掛け板本体６２の裏面６２０４の凹部６２１０に収納され、図１９、図２０に示すように、腰掛け板６０の使用時、腰掛け板本体６２が水平方向に延在した状態で長手方向の他端から下方に延在して化粧室１００２の床１２１２に当接し、腰掛け板本体６２の水平状態を保持する。
第２の実施の形態によれば、腰掛け板６０に腰掛けた状態で足を洗うことができるので、第１の実施の形態の効果に加え、楽な姿勢で足をより簡単に洗う上で有利となる。
なお、折り畳み式の椅子などを化粧室１００２内に用意しておいてもよいが、実施の形態のような腰掛け板６０を設けておくと、化粧室１００２内に折り畳み式の椅子を容易しておく必要がなく、化粧室１００２内のスペースを広く確保する上で有利となる。
【００２１】
なお、上記の実施の形態では、水栓３４は、水栓用収納具４０を介して便器２２の側方で背面壁１２０４の下部に設けられている場合について説明したが、非使用時の水栓３４の位置は、左右の側壁１２０６、１２０８の箇所や床（底壁）１２１２の箇所など種々考えられ、器２２の側方で背面壁１２０４の下部に限定されない。
また、水栓３４には従来公知のさまざまなタイプの構造が採用可能であり、さらに、水制御部４４による水栓３４からの水の吐出と吐出停止の制御にも従来公知の様々な制御が採用可能である。
また、本実施の形態では乗り物用化粧室ユニットが航空機用化粧室ユニットである場合について説明したが、本発明の乗り物用化粧室ユニットは、船舶、バスやキャンピングカーなどの自動車、新幹線などの列車など航空機以外の様々な乗り物の化粧室ユニットに広く適用される。
【符号の説明】
【００２２】
１０  化粧室ユニット
１００２  化粧室
２２  便器
２４  便器本体
２６  便座
２８  蓋
２８０２  内面
３２  水切り板
３４  水栓
３６  水栓保持部
３８  係脱機構
４０  水栓用収納具
４２  水栓用係止具
４４  水制御部
４６  載置部
４６０２  載置部本体
４６０４  起立壁
４８  排水部
４８０２  傾斜面
４８０４  排水口
４９  網状の部材
５０  ホース
６０  腰掛け板
【図１】
2019044742.tif 000003
【図２】
2019044742.tif 000004
【図３】
2019044742.tif 000005
【図４】
2019044742.tif 000006
【図５】
2019044742.tif 000007
【図６】
2019044742.tif 000008
【図７】
2019044742.tif 000009
【図８】
2019044742.tif 000010
【図９】
2019044742.tif 000011
【図１０】
2019044742.tif 000012
【図１１】
2019044742.tif 000013
【図１２】
2019044742.tif 000014
【図１３】
2019044742.tif 000015
【図１４】
2019044742.tif 000016
【図１５】
2019044742.tif 000017
【図１６】
2019044742.tif 000018
【図１７】
2019044742.tif 000019
【図１８】
2019044742.tif 000020
【図１９】
2019044742.tif 000021
【図２０】
2019044742.tif 000022
【国際調査報告】
2019044742.tif 000023
2019044742.tif 000024
2019044742.tif 000025
2019044742.tif 000026
2019044742.tif 000027
2019044742.tif 000028